(57)【要約】【課題】開口窓部のカバー材間に配したパネルの着脱がしやすく、パネのル取り替え作業のミスが発生しにくい建具を提供する。【解決手段】建具１０は、枠部材１１で囲まれた開口窓部１２の表裏にカバー材１３を備え、カバー材１３間の収容空間１４にパネル３０を着脱自在に有してなる建具であって、枠部材１１の外側の端面の少なくとも１つにパネル着脱用開口２２を有し、パネル着脱用開口２２から収容空間１４に通じるパネル挿通路２１を有しており、パネル挿通路２１は、パネル着脱用開口２２を塞ぐ蓋部材４０が着脱自在に挿着されるようになっている。【選択図】図１
2017089174.tif 000002
【特許請求の範囲】
【請求項１】
枠部材で囲まれた開口窓部の表裏にカバー材を有し、該カバー材間の収容空間にパネルを着脱自在に有してなる建具であって、
前記枠部材の外側の端面の少なくとも１つにパネル着脱用開口を有し、該パネル着脱用開口から前記収容空間に通じるパネル挿通路を有しており、
前記パネル挿通路は、前記パネル着脱用開口を塞ぐ蓋部材が着脱自在に挿着されていることを特徴とする建具。
【請求項２】
請求項１において、
前記パネル着脱用開口は上端面に形成されている、建具。
【請求項３】
請求項１において、
開き戸として取り付けされるようになっており、
前記パネル着脱用開口は、前記開き戸のヒンジ側の側端面に形成されている、建具。
【発明の詳細な説明】
【技術分野】
【０００１】
本発明は、枠部材で囲まれた開口窓部の表裏にカバー材を有し、そのカバー材間にパネルを着脱自在に有してなる建具に関する。
【背景技術】
【０００２】
この種の建具として、従来にはたとえば特許文献１のものが提案されている。この文献の建具は、装飾用のパネルを、それを挟んだ両カバー材といっしょに、開口窓部の表裏の枠に設けた桟で保持する構成となっている。
【０００３】
このものでは、表裏の桟のうちの一方が着脱自在となっており、それを取り外すことで、パネルの取り外しができ、他のパネルへの取り替えができるようになっている。
【先行技術文献】
【特許文献】
【０００４】
【特許文献１】特開２００１−３２６４３号公報
【発明の概要】
【発明が解決しようとする課題】
【０００５】
しかしながら、上記文献のものでは、パネルを取り替えるためにはカバー材も同時に取り外さなければならない。しかも、パネルを正面または裏面側からの取り外し作業であるため、作業ミスが生じやすい。落下などの作業ミスが発生すれば、ガラス製のカバー材が破損するおそれもある。
【０００６】
本発明は、このような事情を考慮して提案されたもので、その目的は、開口窓部のカバー材間に配したパネルの着脱がしやすく、パネルの取り替え作業のミスが発生しにくい建具を提供することにある。
【課題を解決するための手段】
【０００７】
上記目的を達成するために、本発明の建具は、枠部材で囲まれた開口窓部の表裏にカバー材を有し、カバー材間の収容空間にパネルを着脱自在に有してなる建具であって、枠部材の外側の端面の少なくとも１つにパネル着脱用開口を有し、パネル着脱用開口から収容空間に通じるパネル挿通路を有しており、パネル挿通路は、パネル着脱用開口を塞ぐ蓋部材が着脱自在に挿着されていることを特徴とする。
【発明の効果】
【０００８】
本発明の建具によれば、上述した構成となっているため、開口窓部のカバー材間に配したパネルの着脱がしやすく、パネルの取り替え作業の際のミスが発生しにくい。
【図面の簡単な説明】
【０００９】
【図１】本発明の一実施形態に係る建具の説明図である。（ａ）は建具の概略分解斜視図および部分拡大斜視図、（ｂ）は建具の拡大横断面図である。
【図２】パネルと蓋部材との係止手段の３例を示す説明図である。（ａ）は係止手段をフックで構成した場合の概略正面図、（ｂ）は係止手段を平面ファスナーで構成した場合の概略正面図、（ｃ）はパネル側の係止手段を埋め込み型のフックで構成した場合の部分斜視図である。
【図３】建具の取り付け例を示す一部を省略した斜視図である。
【図４】本発明の他の実施形態に係る建具の概略分解斜視図である。
【発明を実施するための形態】
【００１０】
以下に、本発明の実施の形態について、添付図面をもとに説明する。図１〜図３は一実施形態に係る建具の説明図であり、図４は他の実施形態に係る説明図である。
【００１１】
これらの実施形態に係る建具１０は、枠部材１１で囲まれた開口窓部１２の表裏にカバー材１３を有し、カバー材１３間の収容空間にパネル３０を着脱自在に有してなる建具である。枠部材１１の外側の端面の少なくとも１つに、パネル着脱用開口２２を有している。さらに、この建具１０はパネル着脱用開口２２から収容空間１４に通じるパネル挿通路２１を有している。このパネル挿通路２１は、パネル着脱用開口２２を塞ぐ蓋部材４０が着脱自在に挿着されている。
【００１２】
まず、図１に示した建具１０の構成について、図１〜図３にもとづいて具体的に説明する。
【００１３】
図１に示した建具１０は、屋内の壁等に設けた開口部（不図示）などに開き戸として取り付けられるものである。この建具１０は、図３に示してあるように、側端部が戸枠（縦枠１）にヒンジ結合されるように取り付けられるものである。
【００１４】
建具１０は、図１（ａ）に示すように、２つの縦枠材１１ａと２つの横枠材１１ｂとよりなる枠部材１１を縦勝ちとなるように結合してなる。それらの枠部材１１に囲まれた部位に開口窓部１２が開設されている。図１（ｂ）に示すように、開口窓部１２における建具１０の厚み方向の両側に、つまり表裏面に、ガラス等の２枚のカバー材１３が取り付け固定されている。２枚のカバー材１３間は離間しており、その離間空間が上述したパネル３０の収容空間１４となっている。
【００１５】
収容空間１４に配されたパネル３０は、デザインが施されたデコレーションパネルである。パネル３０は矩形状とされ、平面の縦横寸法がカバー材１３の寸法に概ね合致し、厚さ寸法がカバー材１３間の離間寸法（収容空間１４の厚み寸法）に概ね合致している（図１（ａ）（ｂ）参照）。パネル３０はカバー材１３間に対して着脱自在とされ、パネル３０と同形状の他のデコレーションパネルや、防音パネルなどと取り替えできるようになっている。なお、カバー材１３はガラス等の透明材に限られない。また、カバー材１３の一方が透明材、他方が不透明な覆い材であってもよい。
【００１６】
本実施形態では、パネル３０は、図１（ａ）に示すように建具１０の側方より横方向（建具１０の上辺に平行な方向）にスライド装着でき、かつ側方へスライドさせて取り出せる構成となっている。
【００１７】
このようにパネル３０を着脱自在とするために、枠部材１１のうちの一方の縦枠材１１ａに、収容空間１４に通じる、その縦枠材１１ａの外側面（建具１０の側端面１０ａ）から収容空間１４側の内側面まで延びる貫通孔が形成されている。この貫通孔がパネル３０を横方向へスライド移動させるためのパネル挿通路２１とされ、縦枠材１１ａの外側面側には、パネル挿通路１１の側端開口であり、パネル３０の出入り口でもあるパネル着脱用開口２２が開設されている。このパネル挿通路２１の縦断面形状は、パネル３０の厚さ寸法よりもやや大きい厚みの角孔形状となっている。
【００１８】
また、図１（ａ）（ｂ）に示すように、パネル挿通路２１には、その挿通路空間をほぼ隙間なく埋めるための蓋部材４０が挿着されるようになっている。この蓋部材４０は、パネル挿通路２１に嵌め込み装着され、縦枠材１１ａの外側面のパネル着脱用開口２２を塞いで、パネル挿通路２１の内部が露出されないようになっている。この蓋部材４０の外方の側端部には、厚さ方向に拡がってなる嵌合部４１が形成してある。なお、図１（ａ）では嵌合部４１の図示は省略した。
【００１９】
また、図１（ｂ）に示すように、嵌合部４１が隙間なくパネル着脱用開口２２に嵌合するように、パネル着脱用開口２２には両厚さ方向に拡がってなる嵌合凹所２３が形成されている。嵌合凹所２３に蓋部材４０の嵌合部４１が嵌合した状態では、建具１０の側端面１０ａはほぼ面一となる。
【００２０】
このように、嵌合部４１がパネル着脱用開口２２に嵌合する構成となっているため、開き戸の開閉などの動作により蓋部材４０が横ずれしたり、外れたりすることを防止することができる。また、蓋部材４０を正しく挿着すれば側端面１０ａが面一となるため、建具１０の端面として違和感はなく、その面が露出しても美観上の問題もほとんどない。
【００２１】
嵌合部４１が嵌合凹所２３に対してしっかりと嵌合する構成であるため、蓋部材４０の本体部４２は、パネル挿通路２１に対して厚さ方向に隙間を有した状態で取り付けられるものであってもよい（図１（ｂ）参照）。
【００２２】
このように、蓋部材４０の本体部４２がパネル挿通路２１に対して遊嵌状態に配されるようになっていれば、蓋部材４０の取り付け、取り外しのときのスライド移動をスムーズに行うことができる。
【００２３】
また、蓋部材４０の幅寸法はパネル挿通路２２の幅寸法と概ね合致するか、あるいはやや小とされることが望ましい。また、パネル３０がパネル挿通路２１側にずれないようにするために、蓋部材４０は、それを装着したときにその本体部４２の先端がパネル３０の側端面に接触する程度の幅寸法とすることが望ましい。
【００２４】
なお、パネル３０が幅方向にずれないようにカバー材１３間にしっかりと嵌め込まれていれば、蓋部材４０の幅寸法はパネル挿通路２１の幅寸法よりも小さくてもよい。つまり、蓋部材４０が挿着されたときに、パネル挿通路２１内に余剰空間ができてもよい。本例のように嵌合部４１を凹所２３に嵌合させる構造となっていれば、蓋部材４０の側端部がパネル挿通路２１の奥方に入り込むおそれはないので、幅寸法（本体部４２の突出寸法）を小さくしてもよい。つまり、蓋部材４０はパネル着脱用開口２２を塞ぐだけの目的の小さな蓋であってもよい。
【００２５】
また、パネル３０の幅寸法を収容空間１４の幅寸法より大きくし、その大きさに応じて蓋部材４０の幅寸法を小さくしてもよい。つまり、パネル３０がパネル挿通路２１側に突出するように収容される寸法のものであってもよい。そうすることで、パネル３０の幅方向の（特に図１における右側の）側端部や蓋部材４０との間の隙間がカバー材１３を介して露出されることを防止することができる。
【００２６】
また、嵌合部４１の嵌合凹所２３への嵌合により取り付けた蓋部材４０は、その嵌合部４１側の側端面に設けた手掛けフック４３（図１（ａ）の拡大図参照）を引っ張ることで取り外すことができる。
【００２７】
以上に説明したように、パネル３０が収容空間１４に収容され、蓋部材４０がパネル挿通路２１に挿着されることで、開口窓部１２にデコレーションパネルを有した建具１０が構成される。
【００２８】
以上のように、本建具１０はパネル３０が着脱自在となった構成であるため、パネル３０のみを他のパネルに取り替えることができ、パネル３０を取り替えることで異なるデザインの建具１０に形成することができる。特に、パネル着脱用開口２２、パネル挿通路２１を通じてパネル３０をスライド装着およびスライド取り外しができるので、パネル３０の取り替え作業を簡単、迅速に行うことができる。
【００２９】
また、この建具１０によれば、パネル３０の着脱作業をスライド移動によりできるので、カバー材１３を取り外さなくてもよく、そのため、パネル３０の着脱作業によりカバー材１３（ガラス）の落下などのミスが発生するおそれもない。また、この建具１０によれば、カバー材１３を開口窓部１２に嵌め殺し状態に固定した構成とすることができるので、パネル３０の取り替え作業のときはもちろん、建具１０の開閉操作の場合にも、カバー材１３がずれたり外れたりすることがなく安全である。
【００３０】
パネル３０および蓋部材４０の側端面どうしが接触または近接した状態で建具１０内に配されるものでは、蓋部材４０でパネル３０を押し込むようにしてパネル３０を収容空間１４内の適切な位置へ収容させることができる。また、パネル３０、蓋部材４０間に離間空間ができるものでは、他の部材を用いてパネル３０を押し込むようにして装着すればよい。
【００３１】
パネル３０および蓋部材４０の装着と取り外しは、それぞれの部材を個別にスライド移動させて行ってもよい。また、建具１０内でパネル３０、蓋部材４０間にほとんど隙間ができないような寸法のものでは、それらを一体に連結した状態にして着脱できるようにしてもよい。
【００３２】
それらを一体として建具１０内に取り付けるために、パネル３０、蓋部材４０の相互に隣接する側端面に、相互に係止するための係止手段を設ければよい。たとえば、図２（ａ）のように、フック部３１、４４を係止手段として両部材の側端面に設けて相互に連結するようにしてもよいし、図２（ｂ）のように、平面ファスナー３２、４５を係止手段として両部材を連結するようにしてもよい。
【００３３】
このように両部材に係止手段を設けることで、パネル３０を装着する際に係止手段どうしで相互係止しておけば、両部材を一体としてスライド移動して建具１０内に装着することができる。そして、両部材は相互に係止された状態のまま建具１０内に収容されるので、取り外しの際にも一体としてスライド移動させて取り出すことができる。
【００３４】
なお、図２（ａ）のようなフック部３１、４４を設けたものの場合、パネル３０、蓋部材４０間にわずかな隙間ができ、ぐらつくおそれがある。また、その隙間がカバー材１３を通じて露出するおそれもある。そのため、図２（ｃ）のように、一方（図例ではパネル３０）のフック部３１を、側端面に形成した凹部３３内に設けるようにしてもよい。
【００３５】
なお、パネル３０のみに、図２（ａ）や図２（ｃ）のようなフック部３１を設けて、蓋部材４０とは一体とはせずに、パネル３０のみを棒状の引っ掛け部材（不図示）などで引っ掛けて取り出しできるようにしてもよい。
【００３６】
ついで、本建具１０の開き戸としての取り付け例について、図３を参照しながら説明する。図３に示した建具１０は、一方の側端部が縦枠１に複数のヒンジ３で連結されて回動可能な開き戸として取り付けられている。図３の例では、パネル着脱用開口２２を設けた建具１０の側端部がヒンジ３側に配されている。
【００３７】
このように、パネル着脱用開口２２がヒンジ３側の側端面１０ａに形成されているので、そのパネル着脱用開口２２やそれに挿着された蓋部材４０は、開き戸が大きく開いた状態でなければ目立つことはなく、よって美観が損なわれるようなおそれはほとんどない。上述したように、蓋部材４０が嵌合した状態にあるときには側端面１０ａがほぼ面一なため、蓋部材４０が閉動作の邪魔になることもない。
【００３８】
また、図３のように開き戸が十分に開いた状態であれば、パネル３０（図１参照）の装着および取り外しも容易に行うことができる（図３における矢印参照）。
【００３９】
また、図３に２点鎖線で示したように、建具１０の上端面１０ｂにパネル着脱用開口２２を設けてもよい。このものでは、上部の枠部材（横枠材１１ｂ）に、パネル着脱用開口２２を有したパネル挿通路２１（後述する図４参照）が形成されている。
【００４０】
このように、パネル着脱用開口２２が建具１０の上端面１０ｂに形成されていれば、開き戸として取り付けられた状態ではパネル着脱用開口２２および蓋部材４０は見えず、美観が損なわれるおそれはない。
【００４１】
また、このように上端面１０ｂにパネル着脱用開口２２を設けたものは、図３の例と同様に建具１０を取り付けた状態でパネル３０と蓋部材４０の着脱を行ってもよい。建具１０の上方に着脱用の空間がない場合には、建具１０を縦枠１から取り外し、図４に示すように横向きの状態にして、パネル３０と蓋部材４０を着脱すればよい。
【００４２】
また、枠部材１１に確実にパネル挿通路２１を形成するために、建具１０が縦勝ちの場合には縦枠材１１ａにパネル挿通路２１を形成し（図１参照）、横勝ちの場合には横枠材１１ｂにパネル挿通路２１を形成すればよい。そのようにすれば、パネル挿通路２１を設けたことで挿通路端部２１ａが図４のように薄くなることがなく、枠部材１１の強度を保持することができる。
【００４３】
なお、パネル着脱用開口２２をヒンジ３側の側端面１０ａや上端面１０ｂに設けた建具１０に限られず、他の側端面や下端面に設けたものであってもよい。
【００４４】
また、２つ以上の端面のそれぞれに、パネル着脱用開口２２を設けるようにしてもよい。そのように複数のパネル挿通路２１が建具１０に形成してあけば、パネル３０の着脱を複数のやり方で行うことができる。もちろんこの場合には、複数のパネル挿通路２１に対応して複数の蓋部材４０が必要とされる。
【００４５】
以上の実施形態の建具１０は、開き戸として取り付けるものを例示したが、引き戸や折り戸として取り付けるものにも適用することができる。
【符号の説明】
【００４６】
１０            建具
１０ａ          側端面
１０ｂ          上端面
１１            枠部材
１１ａ          縦枠材
１１ｂ          横枠材
１２            開口窓部
１３            カバー材
１４            収容空間
２１            パネル挿通路
２１ａ          挿通路端部
２２            パネル着脱用開口
２３            凹所
３０            パネル
３１            フック部
３２            平面ファスナー
３３            凹部
４０            蓋部材
４１            嵌合部
４２            本体部
４３            手掛けフック
４４            フック部
４５            平面ファスナー
１              戸枠（縦枠）
３              ヒンジ
【図１】
2017089174.tif 000003
【図２】
2017089174.tif 000004
【図３】
2017089174.tif 000005
【図４】
2017089174.tif 000006